(57)【要約】【課題】側溝本体に対する側溝蓋の相対嵌合位置を適切に確保しながら、側溝蓋のガタ音を有効に防止する。【解決手段】側溝本体１の左右側壁開口端の内側に側溝蓋３を嵌合しつつ、同側溝蓋３の左右側端を該左右側壁開口端の内側に形成した段差面４に支持する構成の側溝において、座板５の中心部から上ほぞ６と下ほぞ７を突設してずれ止め兼ガタ音防止部品８を形成し、該上ほぞ６を上記側溝蓋３の左右側端下面に設けた上ほぞ孔９に挿入すると共に、該下ほぞ７を上記段差面４に設けた下ほぞ孔１０に挿入しつつ、上記座板５を上記両ほぞ孔９，１０の周囲において上記側溝蓋３の左右側端下面と上記段差面４間に介在した側溝における側溝蓋のずれ止め兼ガタ音防止構造。【選択図】        図１
2005163367.tif 000002
【特許請求の範囲】
【請求項１】
側溝本体の左右側壁開口端の内側に側溝蓋を嵌合しつつ、同側溝蓋の左右側端を該左右側壁開口端の内側に形成した段差面に支持する構成の側溝において、座板の中心部から上ほぞと下ほぞを突設して成るずれ止め兼ガタ音防止部品を形成し、該上ほぞを上記側溝蓋の左右側端下面に設けた上ほぞ孔に挿入すると共に、該下ほぞを上記段差面に設けた下ほぞ孔に挿入しつつ、上記座板を上記両ほぞ孔の周囲において上記側溝蓋の左右側端下面と上記段差面間に介在したことを特徴とする側溝における側溝蓋のずれ止め兼ガタ音防止構造。
【請求項２】
上記座板の上面又は／及び下面に多数の突起又は突条を設けたことを特徴とする請求項１記載の側溝における側溝蓋のずれ止め兼ガタ音防止構造。
【請求項３】
上記座板の上面又は／及び下面に緩衝パッドを貼付したことを特徴とする請求項１記載の側溝における側溝蓋のずれ止め兼ガタ音防止構造。
【発明の詳細な説明】
【技術分野】
【０００１】
この発明は道路等の側溝における側溝蓋のずれ止め兼ガタ音防止構造に関する。
【背景技術】
【０００２】
特許文献１乃至３は緩衝板を側溝蓋の左右側端下面と段差面間に介在して側溝蓋を支持し、該緩衝板に設けたほぞを側溝本体の段差面（側溝蓋支持面）に設けたほぞ孔に挿入し、緩衝板を側溝本体の段差面の所定位置に設置できるようにした側溝蓋の緩衝構造を開示している。
【特許文献１】特開２００１−２１４５０６号公報
【特許文献２】特開２００１−１３２０８１号公報
【特許文献３】特開２０００−１６０６７０号公報
【発明の開示】
【発明が解決しようとする課題】
【０００３】
而して上記先行例においては、緩衝板の介在により側溝蓋のガタ音を吸収する利点は有するが、該緩衝板の上面（平面）と接触する側溝蓋の車輌走行による移動を禁じ得ず、側溝蓋の定位置に緩衝板を配置して所要の緩衝効果を得ることができず、緩衝板によって側溝本体と側溝蓋との相対位置を設定することが不能である。
【０００４】
即ち側溝蓋の前後方向の移動により、隣接する側溝蓋と干渉を来す問題、又側溝本体に対する側溝蓋の前後方向における嵌め合い位置を設定する機能に欠け、側溝蓋の嵌合作業に手間を要する。
【課題を解決するための手段】
【０００５】
本発明においては上記従来例におけるガタ音を有効に防止する効果を得ながら、上記側溝本体に対する側溝蓋の嵌合位置を適切にすると共に、上記車輌走行による側溝蓋の移動を防止し、ひいてはガタ音防止効果を有効に発揮せしめるようにした側溝における側溝蓋のずれ止め兼ガタ音防止構造を提供する。
【０００６】
その手段として、側溝本体の左右側壁開口端の内側に側溝蓋を嵌合しつつ、同側溝蓋の左右側端を該左右側壁開口端の内側に形成した段差面に支持する構成の側溝において、座板の中心部から上ほぞと下ほぞを突設してずれ止め兼ガタ音防止部品を形成し、該上ほぞを上記側溝蓋の左右側端下面に設けた上ほぞ孔に挿入すると共に、該下ほぞを上記段差面に設けた下ほぞ孔に挿入しつつ、上記座板を上記両ほぞ孔の周囲において上記側溝蓋の左右側端下面と上記段差面間に介在し、上記座板の介在により側溝蓋のガタ音を有効に防止する効果を得ながら、該座板を介在した位置において上ほぞと下ほぞによる側溝蓋の相対嵌合位置を確保し、加えて側溝蓋のずれを有効に防止する。
【０００７】
好ましくは上記座板と上ほぞと下ほぞから成るずれ止め兼ガタ音防止部品は、合成樹脂にて一体成形する。
【０００８】
上記ずれ止め兼ガタ音防止部品は現場において、下ほぞを段差面の下ほぞ孔に単に挿入してずれ止め兼緩衝部品を設置し、その上で側溝蓋を嵌合して上ほぞ孔に上ほぞを単に挿入する。
【０００９】
又は上ほぞを以って側溝蓋に取り付けて置くか、下ほぞを以って側溝本体に取り付けて置き、側溝本体に側溝蓋を嵌合することができる。
【００１０】
上記ずれ止め兼ガタ音防止部品を上記側溝本体又は側溝蓋に予め取り付けて置く場合、上ほぞ又は下ほぞは接着材を介して上ほぞ孔又は下ほぞ孔に挿入し固着することができる。又は座板を接着材を介して側溝蓋の左右側端下面に接着して置くか、又は側溝本体の段差面に接着して置き、側溝本体に側溝蓋を嵌合する。
【００１１】
上記座板の上面又は／及び下面には突起又は突条を設け、該突起又は突条を側溝蓋の左右側端下面又は／及び側溝本体の段差面に接触する構成により、上記ガタ音防止効果を助長する。
【００１２】
又上記座板の上面又は／及び下面にゴムや織布、不織布等から成る緩衝パッドを貼付する構成により、緩衝効果を付有せしめ、上記ガタ音防止効果を高める。
【発明を実施するための最良の形態】
【００１３】
以下本発明を実施するための最良の形態を図１乃至図５に基づき説明する。
【００１４】
図１，図３、図５に示すように、側溝はコンクリートから成る側溝本体１と同側溝蓋３から成り、側溝本体１の左右側壁２の開口端の内側に側溝蓋３を嵌合しつつ、同側溝蓋３の左右側端を該左右側壁開口端の内側に形成した段差面４に支持し、上記側溝蓋３を段差面４上の側溝本体１の開口端内域に嵌合し側溝本体１を閉合する構造である。
【００１５】
上記側溝蓋３のガタ音防止手段として、図２Ａ，図４に示すように、円板から成る座板５の中心部から上方向に上ほぞ６を突設し、同座板５の中心部から下方向に下ほぞ７を突設してずれ止め兼ガタ音防止部品８を形成する。
【００１６】
上記上ほぞ６は座板５の上面中心部から垂直に立設し、その外形を先細形状（截頭円錐形）にし、同様に下ほぞ７は同座板５の下面中心部から垂直に立設し、その外形を先細形状（截頭円錐形）にする。
【００１７】
上記上ほぞ６と下ほぞ７は同一軸線に立設し、形状と大きさは同一にする。上記上ほぞ６と下ほぞ７を同一軸線上に立設することにより、上ほぞ孔９と下ほぞ孔１０とは同一軸線上に設ける。
【００１８】
図示は省略するが、実施に応じ上記座板５を角板にて形成することができる。
【００１９】
上記ずれ止め兼ガタ音防止部品８は座板５及び上下ほぞ６，７の三者をポリプロピレンに代表される合成樹脂にて一体成形する。又は座板５及び上下ほぞ６，７を金属にて一体に形成する。
【００２０】
上記上ほぞ６を上記側溝蓋３の左右側端下面に設けた上ほぞ孔９に挿入すると共に、上記下ほぞ１０を上記段差面４に設けた下ほぞ孔１０に挿入しつつ、上記座板５を上記両ほぞ孔９，１０の周囲において上記側溝蓋３と上記段差面４間に介在する。これにより側溝蓋３を側溝本体１に対し複点支持しつつ側溝本体１に対する側溝蓋３の相対嵌合位置を設定すると共に、側溝蓋３のずれを防止する。
【００２１】
即ち図５に示すように、上記ずれ止め兼ガタ音防止部品８は側溝本体１と側溝蓋３の閉合面の複数点に配在して座板５により側溝蓋３をバランス支持（複点支持）することにより、側溝本体１に対する側溝蓋３のガタつきを防止し、ガタ音を有効に防止する。又座板５の材質により緩衝効果を富有せしめ、ガタ音をより有効に防止する。
【００２２】
上記ずれ止め兼ガタ音防止部品３は現場において、その下ほぞ７を段差面４の下ほぞ孔１０に単に挿入して設置し、その上で側溝蓋３を嵌合し、上ほぞ孔９に上ほぞ６を単に挿入する。上ほぞ６と下ほぞ７を截頭円錐形にすることにより、挿入が容易で位置決めが確実に図れる。
【００２３】
上記ずれ止め兼ガタ音防止部品８は上ほぞ６を以って側溝蓋３に取り付けて置くか、下ほぞ７を以って側溝本体１に取り付けて置き、側溝本体１に側溝蓋３を嵌合する。この際上ほぞ６又は下ほぞ７は接着材を介して上ほぞ孔９又は下ほぞ孔１０に挿入し固着することができる。
【００２４】
又は座板５を接着材を介して側溝蓋３の左右側端下面に接着して置くか、又は側溝本体１の段差面４に接着して置き、側溝本体１に側溝蓋３を嵌合する。
【００２５】
上記ずれ止め兼ガタ音防止部品８の座板５の上下面は図２Ａに示すように、平行な平面にする。又は好ましい例示として図２Ｂ，図３に示すように、上記座板５の上面又は／及び下面に突起又は突条１１を設け、該突起又は突条１１を側溝蓋３の左右側端下面又は／及び側溝本体１の段差面４に接触する構成により、上記ガタ音防止効果を助長する。
【００２６】
一例として図示の如く、波形の突条１１を座板５の中心部から同座板５の上面又は／及び下面に放射状に設け、該突条１１を側溝蓋３の左右側端下面又は／及び側溝本体１の段差面４に接触する構成により、上記ガタ音防止効果を助長する。
【００２７】
又上記突条１１を座板５と側溝蓋３又は／及び同座板５と側溝本体１（段差面４）と接触せしめる構造により、上記突条１１の稜線による多線接触となるため、側溝蓋３のずれ止め効果を更に向上する。
【００２８】
上記突条１１は図示のように放射状に形成するか、座板５の上面又は／及び下面に同心円上に多数形成することができる。
【００２９】
又他例として、突条１１に代え多数の突起１１を配設することにより、該突起１１の頂面で上記側溝蓋３又は／及び側溝本体１と多点接触する構成とし、上記と同様の効果を得る。
【００３０】
又図４Ａ，Ｂに示すように、上記座板５の上面又は／及び下面に緩衝パッド１２を貼付し、上記緩衝効果と防音効果を更に向上せしめる。
【００３１】
図示の如く、上記緩衝パッド１２は環状に形成し、上下ほぞ９，１０の周域の座板５の上面又は／及び下面に環状に貼付し、該上面の緩衝パッド１２を上記側溝蓋３の左右側端下面に接触せしめ、該下面の緩衝パッド１２を上記側溝本体１の段差面４に接触せしめる。換言すると上記座板５を側溝蓋３と側溝本体１間に上記座板５の上面と下面の緩衝パッド１２を介して介在し、上記座板５による緩衝効果を向上する。
【００３２】
上記緩衝パッド１２は角形や円形に形成し、座板５の上面又は／及び下面の複数箇所に貼付することを妨げない。
【００３３】
又図３に示すように、上記側溝蓋３と側溝本体１間の上記座板５の介在部位、即ち側溝蓋３の左右側端下面の座板５と対応する位置に、該座板５の上半部の上部を収容する上凹所１３を設けると共に、上記側溝本体１の段差面４下面の座板５に対応する位置に、該座板５の下半部の下部を収容する下凹所１４を設け、上凹所１３と下凹所１４に座板５を夫々収容し、上凹所１３の底面に座板５の上面を当接すると共に、下凹所１４の底面に座板５の下面を当接し、側溝蓋３の左右側端の下面と側溝本体１の段差面４間に間隙１５を形成する。
【００３４】
即ち座板５の上下面を上下凹所１３，１４の底面に当接することにより、座板５の厚みを確保しつつ、上記間隙１５を適正な微小間隙にし、併せてずれ止め兼ガタ音防止部品８による複点支持を保証する。同時に上記上下凹所１３，１４を座板５を埋設しない深さに設定することにより、上記突起又は突条１１による多点接触又は多線接触構造を適切に保証する。
【００３５】
上記ずれ止め兼ガタ音防止部品８を介しての側溝蓋３と側溝本体１の嵌め合い構造により、側溝蓋３のガタ音を有効に防止するガタ音防止効果を得ながら、該ガタ音防止手段として機能する座板５の介在位置において、上記側溝本体１に対する側溝蓋３の相対嵌合位置を適切に設定し、上記ガタ音防止効果を発揮できると共に、上記車輌走行による側溝蓋３の移動を防止し、移動時の消音効果を有効に発揮せしめることができる。
【図面の簡単な説明】
【００３６】
【図１】側溝蓋と側溝本体から成る側溝のずれ止め兼ガタ音防止部品の介在部における断面図。
【図２】Ａはずれ止め兼ガタ音防止部品の平面図、Ｂは同ずれ止め兼ガタ音防止部品の他例を示す平面図。
【図３】図２Ｂにおけるずれ止め兼ガタ音防止部品の介在部を拡大して示す要部断面図。
【図４】Ａは上記ずれ止め兼ガタ音防止部品に緩衝パッドを貼付した状態を示す断面図、Ｂは同平面図。
【図５】上記ずれ止め兼ガタ音防止部品の配在位置を示す側溝の平面図。
【符号の説明】
【００３７】
１…側溝本体、２…側壁、３…側溝蓋、４…段差面、５…座板、６…上ほぞ、７…下ほぞ、８…ずれ止め兼ガタ音防止部品、９…上ほぞ孔、１０…下ほぞ孔、１１…突起又は突条、１２…緩衝パッド、１３…上凹所、１４…下凹所、１５…間隙。
【図１】
2005163367.tif 000003
【図２】
2005163367.tif 000004
【図３】
2005163367.tif 000005
【図４】
2005163367.tif 000006
【図５】
2005163367.tif 000007